(57)【要約】  弦楽器用弓は、弓毛リボン（１０８）を保持するヘッド（１１０）およびフロッグ（１１２）を有する細長いスティック（１０２）を含む。ヘッドおよびフロッグは、ヘッドとフロッグとの間に張力を加えて保持された弓毛（１０８）が、長手方向にねじれたリボン状を示すよう構成されている。
2015524086.tif 000002
【特許請求の範囲】
【請求項１】
ヘッド端（１０６）とフロッグ端（１０４）の間に長手方向に延びる、細長いスティック（１０２）と、
第１弓リボン支持面（１１７）を有する、前記スティックの前記ヘッド端に連結されたヘッド（１１０）と、
第２弓リボン支持面（１３７）を有する、前記スティックの前記フロッグ端に連結されたフロッグ（１１２）と、を含み、
該第１弓リボン支持面と該第２弓リボン支持面とを係合させる、該第１弓リボン支持面と該第２弓リボン支持面との間にぴんと張った状態で延びるリボン状の弓毛（１０８）が長手方向のねじれを示すよう、前記第２弓リボン支持面は前記第１弓リボン支持面に対して角度がつけられている、弦楽器用弓（１００）。
【請求項２】
ねじれたリボン状の弓毛（１０８）の状態で前記ヘッド（１１０）と前記フロッグ（１１２）との間にぴんと張った状態で保持される、一組の弓毛を更に含む、請求項１に記載の弓。
【請求項３】
前記ねじれたリボン（１０８）は、前記フロッグ（１１２）と前記ヘッド（１１０）の間に延びる線を含む、該フロッグ（１１２）と該ヘッド（１１０）の間に延びる線に関してねじれた平面を定義する、請求項２に記載の弓。
【請求項４】
前記ねじれた平面は、前記第１弓リボン支持面と前記第２弓リボン支持面との間で約１度から４５度の総ねじれ角（α）、とりわけ約１５度のねじれ角を定義する、請求項３に記載の弓。
【請求項５】
前記細長いスティック（１０２）は弓面（１０３）を定義し、前記フロッグおよび前記ヘッドのそれぞれの中心線は弓面内にある、請求項１から４のいずれか一項に記載の弓。
【請求項６】
前記細長いスティック（１０２）は弓面（１０３）を定義し、前記第１および第２弓リボン支持面の一方は、該弓面に対して垂直である、請求項１から５のいずれか一項に記載の弓。
【請求項７】
前記第１弓リボン支持面（１１７）は、前記ヘッド（１１０）の実質平坦な面を含む、請求項１から６のいずれか一項に記載の弓。
【請求項８】
前記第２弓リボン支持面（１３７）は、前記フロッグ（１１２）の下側で画定される細長い溝の底面（１３８）を含む、請求項１から７のいずれか一項に記載の弓。
【請求項９】
前記フロッグ（１１２）は、弓毛の張力を調整するために、前記スティック（１０２）に沿って可動である、請求項１から８のいずれか一項に記載の弓。
【請求項１０】
前記第２弓リボン支持面（１３７）は、前記第１弓リボン支持面（１１７）に対して角度づけられ、前記スティックの前記フロッグ端側から見た場合に、前記弓毛リボン（１０８）が前記フロッグから前記ヘッドに向かって時計周り方向にねじれて見えるよう構成される、請求項１から９のいずれか一項に記載の弓。
【請求項１１】
前記第２弓リボン支持面（１３７）は、前記第１弓リボン支持面（１１７）に対して角度づけられ、前記スティックの前記フロッグ端側から見た場合に、前記弓毛リボン（１０８）が前記フロッグから前記ヘッドに向かって反時計周り方向にねじれて見えるよう構成される、請求項１から９のいずれか一項に記載の弓。
【請求項１２】
離れて配置された弓毛クランプ（１１０、１１２）を支持する細長いスティック（１０２）と、
弓毛の長手方向中央部が弓の有効長にわたって前記スティックから隔てられるよう、前記弓毛クランプの間に張力を加えて保持される弓毛（１０８）と、を含み、
前記弓毛は、保持された状態において長手方向にねじれたリボン状を示す、弦楽器用弓（１００）。
【請求項１３】
前記ねじれたリボンは、前記弓毛クランプ間に延びる線を含む、該線に関してねじれた平面を定義する、請求項１２に記載の弓。
【請求項１４】
前記ねじれた平面は、前記弓毛クランプ間において約１度から４５度の間、とりわけ約１５度の総ねじれ角を定義する、請求項１３に記載の弓。
【請求項１５】
前記スティック（１０２）はヘッド端（１０６）とフロッグ端（１０４）とを有し、前記弓毛クランプは、該スティックの該ヘッド端に設けられた第１クランプ（１１０）と、該スティックの該フロッグ（１１２）端において調整可能なフロッグに保持される第２クランプとを含む、請求項１２から１４のいずれか一項に記載の弓。
【請求項１６】
前記弓毛リボンは、前記スティックの前記フロッグ端側から見た場合、該スティックの前記フロッグ（１１２）から前記ヘッド（１０６）に向かって時計周り方向にねじれている、請求項１２から１５のいずれか一項に記載の弓。
【請求項１７】
前記弓毛リボンは、前記スティックの前記フロッグ端側から見た場合、該スティックの前記フロッグ（１１２）から前記ヘッド（１０６）に向かって反時計周り方向にねじれている、請求項１２から１５のいずれか一項に記載の弓。
【請求項１８】
弦楽器用弓の締め付け方法であって、
弓毛リボン（１０８）の第１端を細長いスティック（１０２）のヘッド端（１０６）に固定し、
前記弓毛リボンの第２端を前記スティックのフロッグ端（１０４）に設けられたフロッグ（１１２）に固定し、該弓毛リボンの該第２端は、該弓毛リボンの前記第１端に対して角度をつけて固定され、
前記弓毛リボンが前記フロッグ端と前記ヘッド端との間でぴんと張った状態で保持されて長手方向のねじれを示すよう、該弓毛リボンに張力を与えることを含む、方法。
【請求項１９】
弦楽器用弓（１００）に用いるフロッグ（１１２）であって、
前記フロッグをスティック（１０２）に取り付けるための、弓の長手方向に平行な取り付け軸を定義するスティックマウント（１２１）と、
前記フロッグ上の前記スティックマウントと反対側に設けられた弓リボン支持面（１３７）と、を含み、該弓リボン支持面は、該弓リボン支持面の長手方向エッジの間に弓毛リボン平面（１３９）を定義し、
前記弓リボン支持面の前記長手方向エッジの一方（１４１）は、他方の前記長手方向エッジ（１４５）よりも取り付け軸に近い位置にある、フロッグ（１１２）。
【請求項２０】
前記弓毛リボン支持面（１３７）は、フロッグの下側で画定される細長い溝の底面（１３８）を含む、請求項１９に記載のフロッグ。
【発明の詳細な説明】
【技術分野】
【０００１】
本発明は、弦楽器用弓に関する。
【背景技術】
【０００２】
様々な弦楽器が、楽器の弦を弓でストロークし、発音性振動を発生させることで演奏される。従来の弓は、両端にヘッドとフロッグを備える細いスティックを有する。ヘッドとフロッグは、それらの間に、ぴんと張った状態のリボン状の天然または合成弓毛を、スティック本体から隔てて保持する。リボンの締め付けは、長年にわたって他にも繊維締め付け方法が提案されてきているが、一般に、スティックに沿ったフロッグ位置の調整によって達成される。
【発明の概要】
【０００３】
本発明の弦楽器用弓は、長手方向にねじれたリボン状の弓毛を有する又はぴんと張った状態で保持するよう構成されることを特徴とする。この構成は、リボン状の弓毛のより容易かつ広範な使用を可能にする。
【０００４】
ここでいう「弓毛」とは、張力を与えてスティックにぴんと張った状態で保持し、楽器の弦のストロークに用いることが可能な、天然（例えば、馬毛）または合成（例えば、ナイロン）の紐、繊維、または糸を指すものである。
【０００５】
本発明の一つの側面は、ヘッド端とフロッグ端の間に長手方向に延びる、細長いスティックを有する弦楽器用弓を特徴づける。スティックのヘッド端に連結されたヘッドは第１弓リボン支持面（例えば、ヘッドにおいて実質平らな面）を有し、スティックのフロッグ端に連結されたフロッグは第２弓リボン支持面（例えば、フロッグの下側で画定される細長い溝の底面）を有する。第１弓リボン支持面と第２弓リボン支持面とを係合させる、第１弓リボン支持面と第２弓リボン支持面との間にぴんと張った状態で延びるリボン状の弓毛が長手方向のねじれを示すよう、第２弓リボン支持面は第１弓リボン支持面に対して角度がつけられている。
【０００６】
いくつかの例において、弦楽器用弓は、ねじれたリボン状の弓毛の状態でヘッドとフロッグとの間にぴんと張った状態で保持される、一組の弓毛も含む。
【０００７】
いくつかの実施形態において、ねじれたリボンは、フロッグとヘッドの間に延びる線を含む平面であって、当該線の周りでねじれた平面を定義する。
【０００８】
多くの応用例において、ねじれた平面は、第１弓リボン支持面と第２弓リボン支持面との間で約１度から４５度の総ねじれ角を定義する。いくつかの場合において、ねじれ角は約１５度である。
【０００９】
いくつかの場合において、細長いスティックは弓面を定義し、フロッグおよびヘッドのそれぞれの中心線は弓面内にある。いくつかの応用例において、第１および第２弓リボン支持面の一方は、弓面に対して垂直である。
【００１０】
多くの例において、弓毛の張力を調整するために、フロッグはスティックに沿って可動である。
【００１１】
バイオリン用弓といったいくつかの応用例において、第２弓リボン支持面が第１弓リボン支持面に対して角度づけられ、スティックのフロッグ端側から見た場合に、弓毛リボンがフロッグからヘッドに向かって時計周り方向にねじれて見えるよう構成されている。他のいくつかの応用例においては、弓毛のリボンが反時計周り方向にねじれて見えるよう構成されている。
【００１２】
本発明の別の側面は、離れて配置された弓毛クランプを支持する細長いスティックと、弓毛の長手方向中央部が弓の有効長にわたってスティックから隔てられるよう、弓毛クランプの間に張力を加えて保持される弓毛とを含む弦楽器用弓を特徴づける。弓毛は、保持された状態において、長手方向にねじれたリボン状を示す。
【００１３】
いくつかの場合において、ねじれたリボンは、弓毛クランプ間に延びる線を含む平面であって、当該線に関してねじれた平面を定義する。好適には、ねじれた平面は、弓毛クランプ間において約１度から４５度の間の総ねじれ角を有する（例えば、約１５度）。
【００１４】
いくつかの実施形態においては、スティックはヘッド端とフロッグ端とを有し、弓毛クランプは、スティックのヘッド端に設けられた第１クランプと、スティックのフロッグ端において調整可能なフロッグに保持される第２クランプとを含む。いくつかの応用例において、弓毛リボンは、スティックのフロッグ端側から見た場合、フロッグからヘッドに向かって時計周り方向にねじれている。他のいくつかの応用例においては、弓毛のリボンが反時計周り方向にねじれている。
【００１５】
本発明の別の側面は、弦楽器用弓の締め付け方法を特徴づける。締め付け方法は、弓毛リボンの第１端を細長いスティックのヘッド端に固定し、弓毛リボンの第２端をスティックのフロッグ端に設けられたフロッグに固定し（弓毛リボンの第２端は、弓毛リボンの第１端に対して角度をつけて固定され）、弓毛リボンがフロッグ端とヘッド端との間でぴんと張った状態で保持されて長手方向のねじれを示すよう、弓毛リボンに張力を与えることを含む。
【００１６】
本発明の更に別の側面は、弦楽器用弓に用いるフロッグを特徴づける。フロッグは、フロッグをスティックに取り付けるための、弓の長手方向に平行な取り付け軸を定義するスティックマウントと、フロッグ上のスティックマウントと反対側に設けられた弓リボン支持面とを含み、弓リボン支持面は、支持面の両長手方向エッジの間に弓毛リボン平面を定義する。弓リボン支持面の長手方向エッジの一方は、他方の長手方向エッジよりも取り付け軸に近い位置にある。
【００１７】
いくつかの場合において、弓毛リボン支持面は、フロッグの下側で画定される細長い溝の底面を含む。
【００１８】
ここでいう「フロッグ」および「ヘッド」とは、弓における、離れた位置で弓毛リボンを保持する部分を指すものである。これらの表現は、機能的特徴を暗示することを意図して用いたものではない。例えば、いくつかの弓の構成においては、調整が不可能なクランプの間に弓毛リボンを保持することも可能である。
【００１９】
本発明は、様々な弦楽器用の弓の製作に採用することが可能である。
【００２０】
弓に沿った弓毛リボンのねじれ角は、特定の演奏家の生理学および演奏スタイルに合わせて選択してもよく、また、右利き奏者に対しては一方のねじれ方向に、左利き奏者に対しては他方のねじれ方向に設定しても良い。また、チェロ用の弓のねじれ方向は、バイオリン用の弓のねじれ方向と反対に設定しても良い。
【００２１】
本発明によって、幅広い演奏による筋肉や関節への負担が軽減され、また、特定のボウイング（とりわけ、バイオリンのボウイングにおけるスピカート、スタッカート、およびソティエ）による演奏を、特に経験の浅い奏者にとって容易にすることが出来る。経験豊富な演奏家の場合、演奏中の感覚の幅が拡大され、それにより音楽表現能力が向上すると感じるであろう。弓毛リボン全体を使用する頻度を増加させることで、音の豊かさの向上を実感し、かつ弓毛が均等に摩耗して弓毛の寿命が長くなることを認識できるであろう。
【００２２】
本発明の一つまたはそれ以上の実施形態の詳細は、添付の図面、写真、および以下の明細書において説明する。本発明のその他の特徴、目的、および利点は、明細書、図面、および特許請求の範囲の記載から明らかになる。
【図面の簡単な説明】
【００２３】
【図１】図１は、弦楽器用弓の破断側面図である。
【図２Ａ】図２Ａは、図１に示す弓のヘッドの下面図である。
【図２Ｂ】図２Ｂは、図２Ａに示すヘッドの上面図である。
【図２Ｃ】図２Ｃは、図２Ａおよび図２Ｂに示すヘッドの正面図である。
【図３Ａ】図３Ａは、図１に示す弓のフロッグの、スティックから取り外した状態の正面図である。
【図３Ｂ】図３Ｂは、図３Ａに示すフロッグの側面図である。
【図３Ｃ】図３Ｃは、図３Ａおよび図３Ｂに示すフロッグの下面図である。
【図４】図４は、フロッグの下側を傾けることにより生じる弓毛リボンのねじれを示す図である。
【図５】図５は、ヘッドの下側を傾けることにより生じる弓毛リボンのねじれを示す図である。
【図６】図６は、図４と図５に示すフロッグを比較した写真である。  複数の図面における類似の参照符号は類似の要素を指す。
【発明を実施するための形態】
【００２４】
図１を参照すると、弦楽器用弓１００は、（「ハンドル」とも呼ばれる）フロッグ端１０４から（「チップ」とも呼ばれる）ヘッド端１０６まで、本体を長手方向に両断する弓面１０３に沿って延びる、細長い本体を有するスティック１０２を有することを特徴とする。スティック１０２は、（バイオリン、チェロ、ビオラ、バスといった）弦楽器の演奏中等において弓を操作するために、ユーザがフロッグ端を掴むように設計されている。スティック本体は、「キャンバー」と呼ばれる凸形状を示すよう内側に湾曲しているが、実装形態によって異なっていても良い。当然、実質真っすぐな細長い本体を有するスティックを使用することも可能である。スティックは、適切な天然材料（例えば、ペルナンブコ）または合成材料（例えば、カーボンファイバーやガラスファイバー）から製作することが出来る。一般に、スティックの厳密な輪郭や、スティックを製作する材料は、本開示の範囲を逸脱しない範囲で異なっていても良い。
【００２５】
図に示すように、（「ハンク」とも呼ばれる）弓毛のひとつなぎのリボン１０８は、スティック１０２のヘッド端に位置するヘッド１１０とフロッグ端に位置するフロッグ１１２との間にぴんと張った状態で保持される。弓毛は、一束の天然毛（例えば、馬毛）、又は一束の合成繊維（例えば、ナイロン）を含み得る。リボンの末端（図示せず）は、縛る、結ぶ、接着する、またはつなぐことによって、弓毛の取り扱いや、繊維を均一に広げることを容易にしている。
【００２６】
この例においては、ヘッドおよびフロッグは、リボンの対応する端を固定するよう機能するほぞ構造を有することを特徴とする。なお、弓毛の両端を固定するために、様々な異なるシステムを用いることが可能であることが想定される。例えば、その開示が参照により本書に組み込まれる米国特許第２６２４２２５号、米国特許第３７５９１３１号、および米国特許第４７１３９９８号には、本発明の適用と関連して用いることが可能な、代替的な固定方法が開示されている。
【００２７】
いずれの場合においても、以下に説明するように、フロッグによって固定される弓毛リボンの端は、ヘッドによって固定される弓毛リボンの端に対して横方向に傾いた角度で保持されるため、弓毛リボンは、スティックの長さにわたって長手方向に幾分かねじれを示す。具体的には、この例においては、弓毛をぴんと張った状態で保持する際に、弓毛を押し当てることでリボン状を維持させるフロッグの下側の面は、スティックおよびリボンの中心線を含む平面に対して垂直でない角度を有するよう形成され、弓のヘッド端側においては、リボン端を前述の平面に対して垂直に保持する。弓毛リボンの両端の角度の違いにより生じる弓毛リボンの長手方向のねじれは、腕を屈伸させながら弓を往復させる際の、ユーザの手首の自然な動きにつながる。このような弓毛リボンのねじれによって、ユーザの腕の自然な軌道が実現され、弓を押したり引いたりする間、弓毛リボンの幅全体を弦に接触させ続けることが容易になるため、演奏の快適さを向上させることが出来る。この構成によって弓の安定感を向上させ、難度の高いボウイングを補助することも可能である。
【００２８】
図２Ａ−２Ｃは、ヘッド１１０を様々な視点から見た例図である。ヘッドには、弓毛リボン１０８の一端を受ける溝１１６（ほぞ穴）が彫られている。インサート（ウェッジ）１１８は、溝に適合するように形成されている。溝とインサートは、二つで弓毛リボンの第１端を保持するほぞ型固定構造を構成する。一般的には、強度または美観、またはその両方を目的として、ヘッドはその面に象牙または金属のチップを有する。弓毛リボンがヘッドによって固定され、弓にぴんと張った状態で保持されると、リボンの少なくとも一部がヘッドの実質平坦な面１１７に押し当てられ、リボンの一端を、水平（すなわち、弓面１０３に対して垂直）な第１弓毛リボン平面１１９に沿うように方向づけられる。この例においては、ヘッドの主要部はスティックから一体的に延び、切れ目のない材料の塊を形成する。他のいくつかの例においては、スティックに直接結合される別部品として形成される場合もある。
【００２９】
図３Ａ−３Ｃは、フロッグ１１２を様々な視点から見た例図である。フロッグは、弓の長手方向と平行な軸１２１を定義するマウントを用いてスティックのフロッグ端に組みつけられ、弓毛リボンの第２端を受ける第２ハウジング（ほぞ穴）を提供する。フロッグのＵ字型の前端１２４は、弓のヘッドの方向を向いている（図１参照）。この例では、フロッグ１１２は、一体成型された本体１２０および様々な機能部品から構成される。フロッグは、弓毛への張力の付与を容易にするために、スティックの長手方向に沿ってフロッグ本体を移動させる一般的なスクリュー‐ボタン機構を介して、スティックに沿って可動となっている。なお、弓毛リボンへの張力の付与という同じ目的ために、その他の張力付与技術やフロッグ形状を採用することも可能である。
【００３０】
図１、２Ａ−２Ｃ、および３Ａ−３Ｂを参照すると、一般的な弓毛リボンの両端がヘッドおよびフロッグのほぞ穴に固定されると、リボンの内側はヘッドの実質平坦なベース面に平らに置かれ、同時にフロッグ側では、扁平状態の弓毛を確実に保持してフロッグの舌部で外側に均一に拡げるよう、舌部１３６上でフェルール１３５が調整される。フロッグ本体１２０の末端部は、弓毛リボンの第２端を固定するよう設計されている。このフロッグ本体１２０の末端部は、半円筒状の舌部１３６と、舌部から後方に延び、平らな底面を有する細長い溝１３８を有することを特徴とする。舌部１３６は、弓毛リボン１０８を広げ、その一部を確実に保持するために用いられるフェルール１３５を支持するマウントを備える。図に示すように、溝１３８の入口は、内側に突出した一組の肩１４０で形成され、一組の肩１４０には、それらの間に蟻継ぎ形状を形成するようにテーパーが設けられている。溝の入口の蟻継ぎ形状は、フェルールによって弓毛リボンの一部に対して保持される扁平なくさび（図示せず）を受けるよう設計されても良い。溝１３８の底面は、フロッグ本体１２０に開けられたほぞ穴１４２につながる経路を提供する。ほぞ穴１４２は、弓毛リボン１０８の第２端が保持固定される、アンダーカットした後部壁１４３を有することを特徴とする。インサート（図示せず）は、ほぞ穴を塞ぎ、弓毛リボンの第２端を効率的に後部壁に押さえつけるために提供される。弓毛リボンをフロッグに固定する際には、弓毛リボンの第２端はほぞ穴に挿入され、リボンの内側は細長い溝の底面に対して平らに置かれる。フェルールは、溝の底面に沿ってリボンを均一に拡げるために、外側に突出した舌部上をスライドする。インサートは、弓毛リボンの第２端をほぞ穴に固定するために、ほぞ穴に打ち込まれる。いくつかの例においては、ほぞ穴および弓毛リボンを保護するために、溝は薄いスライド部品（図示せず）を用いて覆われる。
【００３１】
この例においては、フロッグ１１２が弓平面１０３に対して適切に調整された状態では、フロッグ本体１２０のスティックから最も離れた面は、フロッグ本体の底面の一方の長手方向端１４１が、他方の長手方向端１４５より取り付け軸に近くなるよう傾いている（図１および図３Ｃも参照のこと）。弓毛リボンの方向を確定する、フロッグの底面の少なくとも一部は、ヘッド１１０の平面１１７に対してある傾斜角で傾いている。従って、弓毛リボン１０８が弓にぴんと張られた場合、フロッグ１１２は、弓毛リボンの第２端を、弓毛の第１端がヘッド１１０によって方向づけられる第１弓毛リボン平面１１９に関して横方向に角度α傾いた、第２弓毛リボン平面１３９に方向づける。この構成により、弓毛リボンは、細長いスティックの長さにわたって、計算された長手方向のねじれを示す。
【００３２】
図４は、上記で説明した例における、ヘッドおよびフロッグにおける弓毛の相対方向を示す例図である。上述したように、ヘッドによって定義される第１弓毛リボン平面１１９に対する、フロッグによって定義される第２弓毛リボン平面１３９の横方向の傾きは、細長いスティックの長さにわたってリボンのねじれを生じさせる。幾何学的に述べると、弓毛リボンは、フロッグとヘッドを結ぶ線に関してねじれた平面を定義する。ねじれ角は、二つの弓毛リボン平面間の角度に等しい（この場合は、α）。図に示すように、ヘッドおよびフロッグの中心線、およびねじれた弓毛リボンの長手方向軸を全て同じ平面（弓平面１０３）上に配置することで、フロッグのずれによるスティックの反りを回避している。
【００３３】
上述したように、弓毛リボンのねじれは、弓をストローク中に腕を伸ばすことによるユーザの手首の自然なねじれを補完するように設計される。ねじれ角は、１度から４５度の範囲で設定することが可能である。演奏家は、それぞれの演奏スタイル、体格、および弓のスタイルを考慮した、最も適切な角度を有する弓の構成を選択することが可能である。バイオリン用の弓の場合、弓毛リボンのねじれの方向は一般的に、フロッグ端側から弓毛リボンに沿って見た場合、フロッグからヘッドに向かって時計回りの方向であるが、チェロ用の弓の場合、弓毛リボンのねじれの方向は一般的に反対方向（すなわち、反時計回りの方向）である。
【００３４】
図５は、ヘッド１１０′の面が弓面に垂直な面に対して傾いており、一方でフロッグ１１２′の外面は弓面に対して垂直なままである、別の例を示す図である。この例においては、弓毛リボン１０８′の第１端は、弓毛の第２端がフロッグ１１２′によって方向づけられる第２弓毛リボン平面１３９′（弓面に垂直な面）に関して横方向に角度α傾いた第１弓毛リボン平面１１９′に、ヘッド１１０′によって方向づけられる。先の例と同様に、この構成は、弓毛リボンを締め付けた場合に長手方向のねじれを生じさせる。
【００３５】
図６は、図４に示す角度付けされたフロッグ１１２と、図５に示す一般的なフロッグ１１２′を比較した写真である。一般的なスティック（すなわち、標準的なヘッドおよびフロッグを有するスティック）は、一般的なフロッグ１１２′を単に角度付けされたフロッグ１１２に交換するだけで、角度付けされたフロッグ１１２を装着し、上述の概念の長所を享受することができる。このようなフロッグの交換によっても、弓のバランスポイントは変化しない。
【００３６】
例示を目的としていくつかの例について説明したが、上記の説明は、特許請求の範囲で規定する発明の範囲を限定することを意図するものではない。以下に示される請求項の範囲内で、異なる例や変形が可能である。具体的には、弓毛リボンの両端を固定するために、本明細書において明示的に説明されていないが本発明の目的から逸脱しない、様々な設計が可能であることが理解されよう。例えば、所望の弓毛のねじれ角を得るために、どちらかの端が、弓毛リボンの角度が奏者によって調整可能となるよう構成されても良い。
【図１】
2015524086.tif 000003
【図２Ａ】
2015524086.tif 000004
【図２Ｂ】
2015524086.tif 000005
【図２Ｃ】
2015524086.tif 000006
【図３Ａ】
2015524086.tif 000007
【図３Ｂ】
2015524086.tif 000008
【図３Ｃ】
2015524086.tif 000009
【図４】
2015524086.tif 000010
【図５】
2015524086.tif 000011
【図６】
2015524086.tif 000012
【国際調査報告】
2015524086.tif 000013
2015524086.tif 000014